(57)【要約】【課題】照明器具をどの調光器に接続しても、個々の照明器具の正確な監視情報（累積点灯時間等）や器具情報（器具形名等）を知らせることが可能な調光システムを提供。【解決手段】照明器具３００Ａは自身の識別番号を設定する識別番号設定部と該識別番号を送信する第１の通信部とを有し、調光器２００Ａは照明器具を調光制御する調光部と自身の状態を監視する状態監視部２０２と照明器具からの識別番号を受信する第２の通信部２０４と照明器具からの識別番号を調光器番号及び監視情報と共に送信する第３の通信部２０５とを有し、複数の調光器を制御する調光主装置４００は、調光器からの識別番号，調光器番号及び監視情報に基づき、照明器具の識別番号毎の監視内容を表すデータベースを作成可能であり、識別番号書き込み装置８０１は、照明器具の識別番号設定部へ識別番号を書き込む機能を有し、且つ書込み時に識別番号に対応した器具情報データベースを作成し、調光主装置に送信できる。【選択図】    図７
2004247273.tif 000002
【特許請求の範囲】
【請求項１】
識別番号を設定した識別番号片が装着された識別番号設定部を有した照明器具と；
前記照明器具を調光制御する調光部と自身の状態を監視する状態監視部とその監視情報を送信する通信部とを有した調光器と；
前記識別番号を読み取る識別番号読み込み部と読み込んだ識別番号を表示する表示部と前記読み込んだ識別番号に対応する調光器番号を入力できる操作部と前記識別番号及び前記調光器番号を無線又は有線で送信する通信部とを有する読取り装置と；
複数の前記調光器をコントロールすると共に、前記読取り装置から送信される前記識別番号及び前記調光器番号と、前記調光器の監視情報とに基づいて、前記照明器具の識別番号毎の監視内容を表すデータベースを作成することが可能な調光主装置と；
を具備したことを特徴とする調光システム。
【請求項２】
識別番号を設定した識別番号片が装着された識別番号設定部を有した照明器具と；
前記照明器具を調光制御する調光部と自身の状態を監視する状態監視部とその監視情報を送信する通信部とを有した調光器と；
前記識別番号を読み取る識別番号読み込み部と読み込んだ識別番号を表示する表示部と前記読み込んだ識別番号に対応する調光器番号を入力できる操作部と前記識別番号及び前記調光器番号の対応を記憶するメモリカードとを有する読取り装置と；
複数の前記調光器をコントロールすると共に、メモリカード読み込み部を有し、前記メモリカードに記憶された前記識別番号及び前記調光器番号と、前記調光器の監視情報とに基づいて、前記照明器具の識別番号毎の監視内容を表すデータベースを作成することが可能な調光主装置と；
を具備したことを特徴とする調光システム。
【請求項３】
前記識別番号を設定した識別番号片はバーコード，無線ＩＤタグ，非接触ＩＣカード又は赤外線送受信付き不揮発性メモリであることを特徴とする請求項１又は２に記載の調光システム。
【請求項４】
自身の識別番号を設定する識別番号設定部と前記識別番号を送信する第１の通信部とを有した照明器具と；
前記照明器具を調光制御する調光部と自身の状態を監視する状態監視部と前記照明器具からの識別番号を受信する第２の通信部と前記照明器具からの識別番号を調光器番号及び前記監視情報と共に送信する第３の通信部とを有した調光器と；
複数の前記調光器をコントロールすると共に、前記調光器から送信される前記識別番号，前記調光器番号及び前記監視情報に基づいて、前記照明器具の識別番号毎の監視内容を表すデータベースを作成することが可能な調光主装置と；
前記照明器具の識別番号設定部へ識別番号を書き込む機能を有すると共に、照明器具への識別番号書込み時に識別番号に対応した器具形名，適合ランプ又は配光データの少なくとも一種を含んだ器具情報データベースを作成する機能と、この器具情報データベースをネットワーク回線を介して前記調光主装置に送信する機能とを有する識別番号書き込み装置と；
を具備したことを特徴とする調光システム。
【請求項５】
自身の識別番号を設定する識別番号設定部と前記識別番号を送信する第１の通信部とを有した照明器具と；
前記照明器具を調光制御する調光部と自身の状態を監視する状態監視部と前記照明器具からの識別番号を受信する第２の通信部と前記照明器具からの識別番号を調光器番号及び前記監視情報と共に送信する第３の通信部とを有した調光器と；
複数の前記調光器をコントロールすると共に、前記調光器から送信される前記識別番号，前記調光器番号及び前記監視情報に基づいて、前記照明器具の識別番号毎の監視内容を表すデータベースを作成することが可能な調光主装置と；
前記照明器具の識別番号設定部へ識別番号を書き込む機能を有すると共に、照明器具への識別番号書込み時に識別番号に対応した器具形名，適合ランプ又は配光データの少なくとも一種を含んだ器具情報データベースを作成する機能と、この器具情報データベースをネットワーク回線を介して前記調光主装置に送信する機能とを有する識別番号書き込み装置と；
複数の前記調光主装置の監視情報をネットワーク回線を介して集中管理すると共に、前記調光主装置からの監視内容と前記識別番号書き込み装置からの前記器具情報データベースを取り込んで、前記照明器具の識別番号毎のデータベースを生成することが可能な管理装置と；
を具備したことを特徴とする調光システム。
【請求項６】
照明器具の識別番号設定部及び第１の通信部は、調光器に接続する電源線への接続コネクタ部に内蔵されていることを特徴とする請求項４又は５に記載の調光システム。
【請求項７】
前記識別番号設定部は、接続コネクタ部表面に設けた赤外線送受信部を有し、識別番号を赤外線で送信する送信器から前記赤外線送受信部を介して不揮発性メモリに書き込み、前記送信器からの要求で読み出しすることを特徴とする請求項６に記載の調光システム。
【請求項８】
照明器具は、識別番号に加えて負荷番号を設定可能に構成されると共に第１の通信部は、負荷番号順に識別番号を送信するように構成されていることを特徴とする請求項４乃至７のいずれか１つに記載の調光システム。
【請求項９】
調光器の第２の通信部は、ランプに電力を供給しない期間に、ランプの明るさに影響を及ぼさないレベルの低電圧を出力し、照明器具の第１の通信部はこの期間に前記低電圧に基づいて電流信号若しくは電圧信号で識別番号を第２の通信部へ返信することを特徴とする請求項４乃至８のいずれか１つに記載の調光システム。
【請求項１０】
調光器の第２の通信部は、調光器の電源投入後一定期間若しくは前記調光器のソフトスタート、フェード時の位相制御オフ期間中に低電圧を出力し、前記照明器具の前記第１の通信部はこの低電圧を自己の電源及び識別番号の返送信号とすることを特徴とする請求項４乃至９のいずれか１つに記載の調光システム。
【請求項１１】
前記低電圧は直流電圧であって、前記識別番号設定部は不揮発性メモリからなり、前記第１の通信部は電源線からの電源供給を受け、前記直流電圧の期間を判別し識別番号を前記第２の通信部へ返信することを特徴とする請求項９又は１０に記載の調光システム。
【請求項１２】
調光主装置は、照明器具の異常状態又は光源の寿命を照明器具ごとに判断する判断部を有し；
ランプ又は照明器具の在庫状況のデータベース及び調光主装置の判断部と直接的又は間接的に接続され、前記判断部が異常又は寿命と判断したときは、その判断情報をその器具形名の部材の在庫状況と合わせて表示部に表示する在庫管理装置と；
を具備したことを特徴とする請求項１乃至１１のいずれか１つに記載の調光システム。
【請求項１３】
管理装置は、照明器具の異常状態又は光源の寿命を照明器具ごとに判断する判断部を有し；
前記回線と接続され、ランプや照明器具の在庫状況のデータベース及び管理装着の判断部と直接的又は間接的に接続され、前記判断部が異常又は寿命と判断したときは、その判断情報をその器具形名の部材の在庫状況と合わせて表示部に表示する在庫管理装置と；
を具備したことを特徴とする請求項５に記載の調光システム。
【請求項１４】
前記読取り装置に設けられ、前記照明器具における消耗交換品の交換時にその照明器具に関する前記データベースのデータをリセットするリセット手段をさらに具備したことを特徴とする請求項１，３，１２のいずれか１つに記載の調光システム。
【請求項１５】
前記リセット手段は、
前記読取り装置の操作部に設けられて、消耗交換品を交換した時に前記データベースのデータをリセット操作する機能と；
前記読取り装置の通信部に設けられて、前記識別番号読み込み部で読み込んだ識別番号と共に消耗交換品が交換されたことを示すリセット信号を前記調光主装置へ送信する機能と；
を具備することを特徴とする請求項１４に記載の調光システム。
【請求項１６】
前記照明器具またはその付近に設けられ、前記照明器具における消耗交換品の交換時にその照明器具に関する前記データベースのデータをリセットするリセット手段をさらに具備したことを特徴とする請求項４〜１３のいずれか１つに記載の調光システム。
【請求項１７】
前記リセット手段は、
前記照明器具に設けられ、消耗交換品の交換時に操作する状態保持可能なスイッチと；
前記照明器具に設けられ、前記識別番号設定部で設定された識別番号と前記スイッチの状態とを含むデータを前記調光主装置へ送信する機能と；
を具備することを特徴とする請求項１６に記載の調光システム。
【請求項１８】
前記リセット手段は、
前記照明器具と前記調光器を接続する接続コネクタ部に設けられ、消耗交換品の交換時に操作する状態保持可能なスイッチと；
前記接続コネクタ部に設けられ、前記識別番号設定部で設定された識別番号と前記スイッチの状態とを含むデータを前記調光主装置へ送信する機能と；
を具備することを特徴とする請求項１６に記載の調光システム。
【発明の詳細な説明】
【０００１】
【発明の属する技術分野】
本発明は、複数の照明器具を調光制御する調光システムに関する。
【０００２】
【従来の技術】
従来、劇場やスタジオの調光システムにおいて、調光器にてランプ電力やランプ不点などを検出することは既に実現されている。また、それらの監視情報を調光主装置にて監視表示することも実用化されている。
【０００３】
従来の調光システムには、特願２００２−２７３５５４号に示すように、照明器具（ランプを含む）の動作状態を監視して状態監視データを生成する状態監視部とその状態監視データを電力線搬送通信で送信する通信部とを有する監視器２６を、各照明器具１４に内蔵させ、一方、照明器具を調光制御する調光器５２は、照明器具内の前記監視器２６から電力線搬送通信で送信された前記状態監視データを受信し、調光器５２を制御する主調光装置５６へ転送する。主調光装置５６は、転送された前記状態監視データを受信して、調光器５２が調光制御している照明器具毎の動作状態を表示するようにしているものがある。
【０００４】
【特許文献１】
特願２００２−２７３５５４号（未公開）
【０００５】
【発明が解決しようとする課題】
しかしながら、劇場やスタジオで使用される調光システムでは、固定的に配設された特定の調光器に対して特定の照明器具が常に固定して接続されるものではなく、調光器に対して接続する照明器具は必要に応じて取り替えられる。すなわち、劇場やスタジオなどで演じられる演出内容（演目）に応じて、舞台で使用する複数の照明器具の配置を換えることが多い。従って、調光器や調光主装置で特定の照明器具を監視しランプ点灯時間などを累積しようとしても、調光器に対して接続される照明器具が場合によって付け替えられるため、特定の照明器具の累積点灯時間を知ることができなかった。
【０００６】
また、使用者が現在、調光器に接続されている照明器具についての器具情報（ランプ寿命，器具種類，配光データなど）を即座に得ることができなかった。
【０００７】
そこで、本発明はこのような問題に鑑み、照明器具をどの調光器に接続しても、個々の照明器具の正確な監視情報（累積点灯時間など）や器具情報を知らせることが可能な調光システムを提供することを目的とするものである。
【０００８】
【課題を解決するための手段】
請求項１記載の発明による調光システムは、識別番号を設定した識別番号片が装着された識別番号設定部を有した照明器具と；前記照明器具を調光制御する調光部と自身の状態を監視する状態監視部とその監視情報を送信する通信部とを有した調光器と；前記識別番号を読み取る識別番号読み込み部と読み込んだ識別番号を表示する表示部と前記読み込んだ識別番号に対応する調光器番号を入力できる操作部と前記識別番号及び前記調光器番号を無線又は有線で送信する通信部とを有する読取り装置と；複数の前記調光器をコントロールすると共に、前記読取り装置から送信される前記識別番号及び前記調光器番号と、前記調光器の監視情報とに基づいて、前記照明器具の識別番号毎の監視内容を表すデータベースを作成することが可能な調光主装置と；を具備したものである。
【０００９】
上記の説明で、照明器具は、白熱電球やハロゲンランプなどのランプと、該ランプを保持したり、特定の配光を得たり、或いは保護したりする機能を有した器具本体部とを有したものである。
【００１０】
調光器の状態監視部で得られる監視情報とは、照明負荷であるランプの点灯電力、点灯電力の電圧及び電流、点灯時間、入力電圧低下、負荷短絡遮断、過負荷遮断、無負荷、漏電、回路故障、温度上昇、出力レベルなどである。また、調光主装置における監視内容とは、各々の調光器の監視情報に基づいて照明器具ごとに算出される積算（累積）電力、累積点灯時間、照明器具ごとに判定される寿命や故障などの判定結果である。なお、点灯時間については、ほぼ一定の電力で点灯している状態では、各調光器の状態監視部に時計手段又はタイムカウンタを設けて、各照明器具の点灯開始からの点灯時間を計測することも可能であるが、或いは各照明器具の点灯電力量を状態監視部で測定しこれを平均的な電力又は定格電力にて演算（除算）して点灯時間を算出するなどの方法がある。特に、調光度合いの時間的変化が大きい舞台照明などには積算した電力量に基づいて算出した実効的な点灯時間を監視データとして用いることが有効である。また、累積点灯時間については、調光主装置に識別番号ごとに監視データを累積して記録しておくことができるので、累積した積算電力から実効的な累積点灯時間を算出することができる。
【００１１】
調光主装置は、複数の調光器に各照明器具を調光する制御データを送ることで、舞台などの場面に応じて舞台上に配置された各照明器具を調光制御可能な調光プログラムを格納した制御卓である。
【００１２】
請求項１の構成によれば、照明器具の識別番号毎の監視内容、例えば、各照明器具ごとの累積点灯時間を一覧できるデータベースを作成することが可能となる。複数の調光器の各々に対して各照明器具を付け替えても、照明器具の識別番号と調光器番号が調光主装置に送信され保持（記憶）されているので、照明器具の識別番号ごとの監視情報をデータベースとして生成することができ、照明器具の配置換えが必要な舞台照明などに使用される照明器具を保守管理する上で極めて利便性の高い装置を実現できる。
【００１３】
請求項２記載の発明による調光システムは、識別番号を設定した識別番号片が装着された識別番号設定部を有した照明器具と；前記照明器具を調光制御する調光部と自身の状態を監視する状態監視部とその監視情報を送信する通信部とを有した調光器と；前記識別番号を読み取る識別番号読み込み部と読み込んだ識別番号を表示する表示部と前記読み込んだ識別番号に対応する調光器番号を入力できる操作部と前記識別番号及び前記調光器番号の対応を記憶するメモリカードとを有する読取り装置と；複数の前記調光器をコントロールすると共に、メモリカード読み込み部を有し、前記メモリカードに記憶された前記識別番号及び前記調光器番号と、前記調光器の監視情報とに基づいて、前記照明器具の識別番号毎の監視内容を表すデータベースを作成することが可能な調光主装置と；を具備したものである。
【００１４】
請求項１における読取り装置が識別番号と調光器番号の対応を無線或いは有線で調光主装置へ送信していたのに対して、請求項２の発明における読取り装置では、識別番号と調光器番号の対応をメモリカードに記憶し、そのメモリカードを調光主装置のメモリカード読み込み部に装着することで、調光主装置にデータ入力する構成としたものである。請求項１で使用した無線或いは有線によるデータ送信手段を要しないものである。
【００１５】
請求項３記載の発明による調光システムは、請求項１又は２に記載の調光システムにおいて、前記識別番号を設定した識別番号片はバーコード，無線ＩＤタグ，非接触ＩＣカード又は赤外線送受信付き不揮発性メモリであることを特徴とする。
【００１６】
上記の説明で、バーコードは印刷されたもので、読取り装置に設けられるバーコードリーダで読み取り可能であり、無線ＩＤタグ又は非接触ＩＣカードは、読取り装置に設けられるＲＦタグリーダ又は非接触ＩＣカードリーダで識別番号を読み取り可能であり、ＲＦタグリーダ又は非接触ＩＣカードリーダから発信されるＲＦ（Ｒａｄｉｏ  Ｆｒｅｑｕｅｎｃｙの略）信号を受信し、それによってタグ又はカードに電力が供給され、発振して電波で識別番号をＲＦタグリーダ又は非接触ＩＣカードリーダに返送することで読み取り可能となる。赤外線送受信付き不揮発性メモリは、読取り装置に設けられる赤外線受光部で読み取り（受光）可能であり、読取り装置側の発光部から発信される光信号に基づいて電源を生成し、その電源に基づいて不揮発性メモリに記憶した識別番号を読取り装置の赤外線受光部に返送することで読み取り可能となる。
【００１７】
請求項４記載の発明による調光システムは、自身の識別番号を設定する識別番号設定部と前記識別番号を送信する第１の通信部とを有した照明器具と；前記照明器具を調光制御する調光部と自身の状態を監視する状態監視部と前記照明器具からの識別番号を受信する第２の通信部と前記照明器具からの識別番号を調光器番号及び前記監視情報と共に送信する第３の通信部とを有した調光器と；複数の前記調光器をコントロールすると共に、前記調光器から送信される前記識別番号，前記調光器番号及び前記監視情報に基づいて、前記照明器具の識別番号毎の監視内容を表すデータベースを作成することが可能な調光主装置と；  前記照明器具の識別番号設定部へ識別番号を書き込む機能を有すると共に、照明器具への識別番号書込み時に識別番号に対応した器具形名，適合ランプ又は配光データの少なくとも一種を含んだ器具情報データベースを作成する機能と、この器具情報データベースをネットワーク回線を介して前記調光主装置に送信する機能とを有する識別番号書き込み装置と；を具備したものである。
【００１８】
上記の説明で、器具情報データベースは、器具形名，適合ランプ，配光データのほかに、外径寸法、製造年月日、シリアル番号（識別番号と同じであっても良い）、価格、オプション情報などを含めても良く、工場などで識別番号書き込み装置を用いてさらにネットワーク回線を介して調光主装置への書き込みを行う。
【００１９】
請求項４記載の発明では、照明器具の識別番号毎の監視内容、例えば、各照明器具ごとの累積点灯時間を一覧できるデータベースを作成することが可能となる一方、照明器具の識別番号毎の器具情報を一覧できるデータベースを生成することができる。
【００２０】
請求項５記載の発明による調光システムは、自身の識別番号を設定する識別番号設定部と前記識別番号を送信する第１の通信部とを有した照明器具と；前記照明器具を調光制御する調光部と自身の状態を監視する状態監視部と前記照明器具からの識別番号を受信する第２の通信部と前記照明器具からの識別番号を調光器番号及び前記監視情報と共に送信する第３の通信部とを有した調光器と；複数の前記調光器をコントロールすると共に、前記調光器から送信される前記識別番号，前記調光器番号及び前記監視情報に基づいて、前記照明器具の識別番号毎の監視内容を表すデータベースを作成することが可能な調光主装置と；前記照明器具の識別番号設定部へ識別番号を書き込む機能を有すると共に、照明器具への識別番号書込み時に識別番号に対応した器具形名，適合ランプ又は配光データの少なくとも一種を含んだ器具情報データベースを作成する機能と、この器具情報データベースをネットワーク回線を介して前記調光主装置に送信する機能とを有する識別番号書き込み装置と；複数の前記調光主装置の監視情報をネットワーク回線を介して集中管理すると共に、前記調光主装置からの監視内容と前記識別番号書き込み装置からの前記器具情報データベースを取り込んで、前記照明器具の識別番号毎のデータベースを生成することが可能な管理装置と；を具備したものである。
【００２１】
請求項５記載の発明では、請求項４の発明における構成要素に加えて、複数の調光主装置を集中管理する管理装置を設けたもので、例えばＡ劇場の複数の照明器具及び調光器とそれらの監視情報を取得する第１の調光主装置と、Ｂ劇場の複数の照明器具及び調光器とそれらの監視情報を取得する第２の調光主装置と、Ｃ劇場の複数の照明器具及び調光器とそれらの監視情報を取得する第３の調光主装置と、……というように複数の箇所にそれぞれ設置された複数の調光主装置からの監視内容と工場などの識別番号書き込み装置からの器具情報データベースを取り込んで、製造メーカーから納品された全ての劇場の照明器具について識別番号毎の統合したデータベースを生成することが可能となる。
【００２２】
請求項６記載の発明による調光システムは、請求項４又は５に記載の調光システムにおいて、照明器具の識別番号設定部及び第１の通信部は、調光器に接続する電源線への接続コネクタ部に内蔵されていることを特徴とする。
【００２３】
請求項６記載の発明では、照明器具の識別番号設定部及び第１の通信部が調光器に接続する電源線への接続コネクタ部に内蔵されているので、照明器具の接続コネクタ部を調光器からの電源線に接続するだけで、識別番号可能な照明器具を、データベースを構築可能な調光システムの本体部へ容易に接続できる。
【００２４】
請求項７記載の発明による調光システムは、請求項６に記載の調光システムにおいて、前記識別番号設定部は、接続コネクタ部表面に設けた赤外線送受信部を有し、識別番号を赤外線で送信する送信器から前記赤外線送受信部を介して不揮発性メモリに書き込み、前記送信器からの要求で読み出しすることを特徴とする。
【００２５】
請求項７記載の発明では、識別番号設定部は赤外線送受信部と不揮発性メモリからなり、接続コネクタ部表面に設けられた赤外線送受信部を介して不揮発性メモリに赤外線で識別番号を設定でき、設定作業が容易である。
【００２６】
請求項８記載の発明による調光システムは、請求項４乃至７のいずれか１つに記載の調光システムにおいて、照明器具は、識別番号に加えて負荷番号を設定可能に構成されると共に第１の通信部は、負荷番号順に識別番号を送信するように構成されていることを特徴とする。
【００２７】
請求項８記載の発明では、調光器に複数の照明器具が接続されている時に、照明器具に識別番号以外に負荷番号を設定可能に構成されたので、同一の調光器に接続される複数の照明器具を負荷番号で順位付けし、負荷番号順に識別番号を送信することで、複数の照明器具から識別番号を送信する際に、送信時の信号衝突を回避することができる。
【００２８】
請求項９記載の発明による調光システムは、請求項４乃至８のいずれか１つに記載の調光システムにおいて、調光器の第２の通信部は、ランプに電力を供給しない期間に、ランプの明るさに影響を及ぼさないレベルの低電圧を出力し、照明器具の第１の通信部はこの期間に前記低電圧に基づいて電流信号若しくは電圧信号で識別番号を第２の通信部へ返信することを特徴とする。
【００２９】
請求項９記載の発明では、照明器具への電力が供給されている位相期間以外に低電圧信号を送り、これを識別番号設定部や第１の通信部の電源とすることで、電源回路を簡素化すると共に、この低電圧期間に弱電の信号返送ができるので、第１の通信部の回路も小型，低コストのもので実現可能となる。
【００３０】
請求項１０記載の発明による調光システムは、請求項４乃至９のいずれか１つに記載の調光システムにおいて、前記調光器の第２の通信部は、前記調光器の電源投入後一定期間若しくは前記調光器のソフトスタート、フェード時の位相制御オフ期間中に低電圧を出力し、前記照明器具の前記第１の通信部はこの低電圧を自己の電源及び識別番号の返送信号とすることを特徴とする。
【００３１】
請求項１０記載の発明では、調光器の電源投入後一定期間又は調光器のソフトスタート、フェード時の位相制御オフ期間中は照明器具への位相制御電力を供給せず、低電圧の電源を供給することで、ランプは殆んど点灯させずに識別番号設定部と第１の通信部を生かし、識別番号を調光器に送信できる。
【００３２】
請求項１１記載の発明による調光システムは、請求項９又は１０に記載の調光システムにおいて、前記識別番号設定部は不揮発性メモリからなり、前記第１の通信部は電源線からの電源供給を受け、前記直流電圧の期間を判別し識別番号を前記第２の通信部へ返信することを特徴とする。
【００３３】
請求項１１記載の発明では、低電圧を直流電源にすることで、照明器具側の識別番号設定部及び第１の通信部ではそのまま電源として動作できる。
【００３４】
請求項１２記載の発明による調光システムは、請求項１乃至１１のいずれか１つに記載の調光システムにおいて、調光主装置は、照明器具の異常状態又は光源の寿命を照明器具ごとに判断する判断部を有し；ランプ又は照明器具の在庫状況のデータベース及び調光主装置の判断部と直接的又は間接的に接続され、前記判断部が異常又は寿命と判断したときは、その判断情報をその器具形名の部材の在庫状況と合わせて表示部に表示する在庫管理装置と；を具備したものである。
【００３５】
請求項１２記載の発明では、請求項１乃至１１のいずれか１つの発明における構成要素に加えて、照明器具の寿命や故障を判断する判断部と、判断部で寿命や故障と判断した時にこれを在庫状況と合わせて表示する在庫管理装置とを設けたものであり、調光システムとしての利便性をさらに高めることができる。
【００３６】
請求項１３記載の発明による調光システムは、請求項５に記載の調光システムにおいて、管理装置は、照明器具の異常状態又は光源の寿命を照明器具ごとに判断する判断部を有し；前記回線と接続され、ランプや照明器具の在庫状況のデータベース及び管理装置の判断部と直接的又は間接的に接続され、前記判断部が異常又は寿命と判断したときは、その判断情報をその器具形名の部材の在庫状況と合わせて表示部に表示する在庫管理装置と；を具備したものである。
【００３７】
請求項１３記載の発明では、請求項５の発明における構成要素に加えて、照明器具の寿命や故障を判断する判断部と、判断部で寿命や故障と判断した時に在庫状況と合わせて表示する在庫管理装置とを設けたものであり、調光システムとしての利便性をさらに高めることができる。
【００３８】
請求項１４記載の発明による調光システムは、請求項１，３，１２のいずれか１つに記載の調光システムにおいて、前記読取り装置に設けられ、前記照明器具における消耗交換品の交換時にその照明器具に関する前記データベースのデータをリセットするリセット手段をさらに具備したことを特徴とする。
【００３９】
請求項１４記載の発明では、請求項１，３，１２のいずれか１つの発明における構成要素に加えて、照明器具における消耗交換品の交換時にその照明器具に関する前記データベースのデータをリセットするリセット手段を読取り装置に設けたものであり、例えばランプ交換後、照明器具の場所から調光主装置の場所に行ってリセット操作をしなくても、照明器具の場所からリセット操作を行うことができる。また、照明器具に電源が供給されていない状態でランプ交換しても、交換後、読取り装置を動作させて調光主装置にリセット信号を送信すれば、リセットを確実に行うことができる。
【００４０】
請求項１５記載の発明による調光システムは、請求項１４に記載の調光システムにおいて、前記リセット手段は、前記読取り装置の操作部に設けられて、消耗交換品を交換した時に前記データベースのデータをリセット操作する機能と；前記読取り装置の通信部に設けられて、前記識別番号読み込み部で読み込んだ識別番号と共に消耗交換品が交換されたことを示すリセット信号を前記調光主装置へ送信する機能と；を具備することを特徴とする。
【００４１】
請求項１５記載の発明では、読取り装置の操作部に設けられたリセット操作手段と、読取り装置の通信部に設けられて、読み込んだ識別番号とリセット操作に基づいて生成されたリセット信号を送信するリセット送信手段とで、リセット手段を構成することで、識別番号とリセット信号がリセット操作又は識別番号読み取り動作のみで調光主装置側へ送信できる。
【００４２】
請求項１６記載の発明による調光システムは、請求項４〜１３のいずれか１つに記載の調光システムにおいて、前記照明器具またはその付近に設けられ、前記照明器具における消耗交換品の交換時にその照明器具に関する前記データベースのデータをリセットするリセット手段をさらに具備したことを特徴とする。
【００４３】
請求項１６記載の発明では、請求項４〜１３のいずれか１つに記載の発明における構成要素に加えて、照明器具における消耗交換品の交換時にその照明器具に関する前記データベースのデータをリセットするリセット手段を照明器具またはその付近に設けたものであり、例えばランプ交換後、照明器具の場所から調光主装置の場所に行ってリセット操作をしなくても、照明器具またはその付近の場所からリセット操作を行うことができる。
【００４４】
請求項１７記載の発明による調光システムは、請求項１６に記載の調光システムにおいて、前記リセット手段は、前記照明器具に設けられ、消耗交換品の交換時に操作する状態保持可能なスイッチと；前記照明器具に設けられ、前記識別番号設定部で設定された識別番号と前記スイッチの状態とを含むデータを前記調光主装置へ送信する機能と；を具備することを特徴とする。
【００４５】
上記スイッチとしては、シーソースイッチやスライドスイッチなどの少なくとも２つの状態に切り換わるものであれば良い。
【００４６】
請求項１７記載の発明では、照明器具に設けたスイッチの状態切換えにて消耗交換品（例えばランプ）の交換を行ったことを示すことができ、その状態で照明器具に電源が供給されたとき、そのスイッチ状態を調光主装置へ送信することが可能となる。
【００４７】
請求項１８記載の発明による調光システムは、請求項１６に記載の調光システムにおいて、前記リセット手段は、前記照明器具と前記調光器を接続する接続コネクタ部に設けられ、消耗交換品の交換時に操作する状態保持可能なスイッチと；前記接続コネクタ部に設けられ、前記識別番号設定部で設定された識別番号と前記スイッチの状態とを含むデータを前記調光主装置へ送信する機能と；を具備することを特徴とする。
【００４８】
請求項１８記載の発明では、照明器具近傍の接続コネクタ部に設けたスイッチの状態切換えにて消耗交換品（例えばランプ）の交換を行ったことを示すことができ、その状態で照明器具に電源が供給されたとき、そのスイッチ状態を調光主装置へ送信することが可能となる。
【００４９】
【発明の実施の形態】
発明の実施の形態について図面を参照して説明する。
図１は本発明の第１の実施の形態の調光システムのブロック図を示している。
【００５０】
図１において、符号１００は劇場やスタジオなどの調光器室などに設置されている分電盤であって、交流（ＡＣ）１００Ｖを出力する交流電源として機能する。
【００５１】
分電盤１００からのＡＣ１００Ｖの電源電圧は、電源線１１０，１２０，…（太線にて示す）を介して照明器具ごとに設けられる複数の調光器２００，２１０，…に供給されている。複数の調光器２００，２１０，…からの例えば位相制御された各々の調光電圧は、複数の照明器具３００，３１０，…に供給される。従って、調光されない状態では、複数の照明器具３００，３１０，…にそれぞれＡＣ１００Ｖの電源電圧が供給されることになる。
【００５２】
調光主装置４００は、複数の調光器２００，２１０，…に各照明器具３００，３１０，…を調光する調光制御データをＤＭＸやＬＡＮなどの信号線４１０を介して送ることで、複数の調光器２００，２１０，…をコントロールする制御卓である。調光主装置４００には、舞台などの場面に応じて舞台上に配置された各照明器具３００，３１０，…を調光制御可能な調光プログラムを有している。従って、複数の調光器２００，２１０，…に与えられる調光制御データは予め決めたプログラムに従い、各場面に応じて連続的或いは断続的に変化し、各制御データに応じて各照明器具３００，３１０，…に供給される電力が変化することで、各照明器具３００，３１０，…の明るさを変化させることができるようになっている。
【００５３】
以上の構成に加えて、本発明の特徴となる部分を含めた構成について以下に説明する。
【００５４】
照明器具３００，３１０，…はそれぞれ、照明用のランプ３０１，３１１，…と、識別番号を設定した後述の識別番号片が装着された識別番号設定部３０２，３１２，…とを有している。
【００５５】
調光器２００，２１０，…はそれぞれ、照明器具３００，３１０，…をそれぞれ調光制御する調光機能を有した調光制御回路２０１，２１１，…と、自身の調光状態を監視する状態監視部２０２，２１２，…と、その監視情報を調光主装置４００に送信する調光器通信部２０３，２１３，…とを有している。
【００５６】
そして、前記照明器具３００，３１０，…の識別番号設定部３０２，３１２，…に設定された識別番号を読み取るために、読取り装置５００が設けられている。
【００５７】
読取り装置５００は、複数の照明器具３００，３１０，…の識別番号を読み取って調光主装置４００に送信するためのものであって、前記識別番号を読み取る識別番号読み込み部（図示せず）と、読み込んだ識別番号を表示する表示部５０１と、前記の読み込んだ識別番号に対応する調光器の番号を入力できる操作部５０２と、前記識別番号と前記調光器番号をＬＡＮなどの信号線４２０を介して送信する通信部（図示せず）とを有している。なお、識別番号及び調光器番号は有線以外に無線で送信するようにしても良く、このようにすることで調光主装置４００への送信時に信号線がなく設定作業が容易となる。
【００５８】
また、調光主装置４００は、複数の前記調光器をコントロールするものであって、調光制御データを送信したり、後述の識別番号の読取り装置５００からの識別番号及び調光器番号のデータを受信するための通信部４０１と、読取り装置５００から送信される識別番号及び調光器番号と、調光器２００，２１０，…の監視情報とに基づいて、照明器具３００，３１０，…の識別番号毎の監視内容を表すデータベースを作成するためのＣＰＵなどの制御部を含むデータベース部４０２とを有している。
【００５９】
上記の構成によれば、調光主装置４００は、読取り装置５００からの識別番号及び調光器番号のデータと、調光器２００，２１０，…の監視情報とに基づいて、照明器具３００，３１０，…の識別番号毎の監視内容、例えば、各照明器具３００，３１０，…ごとの累積点灯時間を一覧できるデータベースを作成することが可能となる。
【００６０】
点灯時間については、各照明器具の点灯電力量を状態監視部で測定しこれを平均的な電力又は定格電力にて演算（除算）して点灯時間を算出するなどの方法がある。特に、調光度合いの時間的変化が大きい舞台照明などには積算した電力量に基づいて算出した実効的な点灯時間を監視データとして用いることが有効である。また、累積点灯時間については、調光主装置に識別番号ごとに監視データを累積して記録しておくことができるので、各照明器具ごとの積算電力を累積したものから実効的な累積点灯時間を算出することができる。
【００６１】
図２（ａ），（ｂ）は、調光主装置４００に形成される、照明器具と調光器との接続状態及びその状態での点灯時間データベース（ＤＢ）を示している。
【００６２】
図２（ａ）は、データベース部４０２に形成される、照明器具３００，３１０，…の識別番号をそれぞれ♯１，２，３，…とし、調光器２００，２１０，…の調光器番号をそれぞれ♯１，２，３，…とした場合の、照明器具３００，３１０，…と調光器２００，２１０，…の現在の接続状態と、その接続状態での各照明器具３００，３１０，…の点灯時間ＤＢを示している。この場合には、識別番号♯１，２，３，…の各照明器具に対応してそれぞれ、調光器番号♯１，２，３，…の各調光器を接続した場合である。
【００６３】
これに対して、図２（ｂ）は、図２（ａ）における照明器具３００，３１０，…と調光器２００，２１０，…の調光器との接続状態を変えて、識別番号♯１，２，３，…の各照明器具に対応してそれぞれ、調光器番号♯２，１，３，…の各調光器を接続した場合の、照明器具３００，３１０，…と調光器２１０，２００，…の現在の接続状態と、その接続状態での各照明器具３００，３１０，…の点灯時間ＤＢを示している。である。すなわち、一例として、照明器具３００を調光器２１０に接続し、照明器具３１０を調光器２００に接続するように接続替えすることで、識別番号♯１，２，３，…の各照明器具に対応してそれぞれ、調光器番号♯２，１，３，…の各調光器を接続した場合である。
【００６４】
図３は、図２（ａ），（ｂ）及びその後の点灯時間を累積して形成される、照明器具と累積点灯時間（延べ点灯時間）ＤＢの一例を示している。
【００６５】
識別番号♯１，２，３，…の照明器具３００，３１０，３２０，…の累積点灯時間はそれぞれ、１０３，１３５，８７時間，…となっている。この照明器具３００，３１０，３２０，…の累積点灯時間は、照明器具３００，３１０，３２０，…を各調光器に対してどのような組み合わせで接続しても、図２のような接続替えした状態での各点灯時間ＤＢに基づいて、図３のような累積点灯時間ＤＢを生成することができる。その結果、この累積点灯時間ＤＢのデータを基に、どの照明器具があとどの位の寿命時間を有するか等、を推測することが可能となると共に、寿命時間が近くなるとランプなどの取り替えを準備するなど、が可能となる。また、図１の構成では、照明器具と調光器間の通信（例えば識別番号の伝送）は何ら必要なく低コストなシステムを構築できる利点を有するものである。
【００６６】
このように、複数の調光器の各々に対して各照明器具を付け替えても、照明器具の識別番号と調光器番号が調光主装置に送信され保持（記憶）されているので、照明器具の識別番号ごとの監視情報をデータベースとして生成することができ、照明器具の配置換えが必要な舞台照明などに使用される照明器具を保守管理（メンテナンス）する上で極めて利便性の高い装置を実現できる。
【００６７】
図４は本発明の第２の実施の形態の調光システムのブロック図を示している。
【００６８】
図４の第２の実施の形態で、図１の実施の形態と異なる点は、図１における読取り装置５００が識別番号と調光器番号の対応を無線或いは有線によるオンラインで調光主装置へ送信していたのに対して、図４の実施の形態における読取り装置５００Ａでは、識別番号と調光器番号の対応をメモリカード６００に記憶し、そのメモリカード６００を調光主装置４００Ａに設けられたメモリカード読取装置４０３に装着することで、調光主装置４００Ａにデータ入力できる構成としたものである。すなわち、図４の構成では、図１で使用した無線或いは有線によるオンラインによるデータ送信手段を要しないものである。また、図４の構成では、図１の構成と同様に、照明器具と調光器間の通信（例えば識別番号の伝送）は何ら必要なく低コストなシステムを構築できる利点を有する。
【００６９】
読取り装置５００Ａと調光主装置４００Ａ以外の構成は図１と同様であるので、説明を省略する。
【００７０】
読取り装置５００Ａは、前記識別番号を読み取る識別番号読み込み部（図示せず）と、読み込んだ識別番号を表示する表示部５０１と、前記読み込んだ識別番号に対応する調光器番号を入力できる操作部５０２と、前記識別番号及び前記調光器番号の対応を記憶するメモリカード６００とを有する。なお、メモリカード６００は、読取り装置５００Ａの本体部に対して着脱自在となっている。
【００７１】
また、調光主装置４００Ａは、複数の調光器２００，２１０，…をコントロールするものであって、メモリカード読み込み部としてのメモリカード読取装置４０３を有し、前記メモリカード６００に記憶された前記識別番号及び前記調光器番号と、前記調光器２００，２１０，…の監視情報とに基づいて、前記照明器具３００，３１０，…の識別番号毎の監視内容を表すデータベースを作成することが可能である。
【００７２】
第２の実施の形態によれば、複数の調光器の各々に対して各照明器具を付け替えても、照明器具の識別番号ごとの監視内容（例えば累積点灯時間）をデータベースとして生成することができると共に、低コストな調光システムを実現できる。
【００７３】
図５は、図１又は図４の実施の形態における識別番号の読取り装置５００又は５００Ａの構成例を示している。
【００７４】
図５において、読取り装置５００又は５００Ａは、液晶パネルなどで構成される表示部５０１と、操作部５０２と、バーコードリーダ，ＲＦタグリーダ，非接触ＩＣカードリーダ又は赤外線受光部で構成される受信部５０３と、ＣＰＵなどで構成される制御部５０４と、内部メモリ５０５と、電池５０６と、電源部５０７と、通信部５０８又はメモリカードインターフェース５０９と、赤外線式の送受信を行う場合に使用する発光素子５１０と、を有して構成されている。
【００７５】
通信部５０８（点線枠にて示す）を有する場合は読取り装置５００に対応し、メモリカードインターフェース５０９（点線枠にて示す）を有する場合は読取り装置５００Ａに対応している。また、発光素子５１０（点線枠にて示す）は、読取り装置における符号５０３の部分が赤外線受光部であり、識別番号設定部の識別番号片７００（図６参照）が赤外線送受信付き不揮発性メモリで構成される場合に対応した場合に必要な構成要素である。
【００７６】
識別番号片７００がバーコードを有したものであれば、読取り装置の符号５０３の部分はバーコードリーダで構成され、発光部及び受光部を有して、バーコードの読み取りが可能となっている。
【００７７】
識別番号片７００がＲＦタグ又は非接触ＩＣカードと呼ばれる無線ＩＤタグ又は非接触ＩＣカードリーダで構成されていれば、読取り装置の符号５０３の部分はＲＦタグリーダ又は非接触ＩＣカードリーダで構成され、電波を送受信する機能を有しており、ＲＦタグリーダ又は非接触ＩＣカードリーダからＲＦタグ非接触ＩＣカードに電波が送られることで、アンテナを持ったＲＦタグ又は非接触ＩＣカードに電力が供給され、これによってＲＦタグ又は非接触ＩＣカードが発振してＲＦタグ又は非接触ＩＣカードから識別番号データを有した電波を返してくるのを、ＲＦタグリーダ又は非接触ＩＣカードリーダで受信して読み取ることが可能となっている。
【００７８】
識別番号片７００が赤外線送受信付き不揮発性メモリで構成されていれば、読取り装置の符号５０３の部分は赤外線受光部で構成され且つ発光素子５１０を有し、発光素子５１０で光を出すと、識別番号片７００のフォトセル７０５（図６参照）で電源部７０６に充電し（太陽電池機能）、制御部７０４はそれに基づいて発振して識別番号を有した赤外線信号を作り、赤外線発光素子７０２より出力し、読取り装置の赤外線受光部５０３で受光して、読み取りが可能となっている。
【００７９】
なお、発光素子５１０（点線枠にて示す）は、識別番号データを含んだ光信号を識別番号片７００（図６参照）に照射することで、識別番号片７００の赤外線受光素子７０２で識別番号を受信すると共に識別番号片７００のフォトセル７０５で電力を受けることで電源を得、受信した識別番号を識別番号片７００のメモリ部７０１に書き込みを行うのにも使用できる。
【００８０】
図６（ａ），（ｂ）は、照明器具の識別番号設定部を識別番号片で構成した場合の赤外線式識別番号片の取付け例、及び赤外線式識別番号片の内部の構成例を示している。
【００８１】
図６（ａ）に示すように、識別番号片７００は、例えば円筒形の照明器具３００の支持部材３００Ａに対してバンドで固定することで取り付けられる。
【００８２】
図６（ｂ）に示す赤外線式の識別番号片７００は、識別番号を記憶するＥＥＰＲＯＭ７０１（電気的に消去可能なプログラマブルＲＯＭ）などで構成される不揮発性メモリと、赤外線発光素子７０２と、赤外線受光素子７０３と、制御部７０４と、フォトセル７０５と、電源部７０６と、を有して構成されている。
【００８３】
図７は、本発明の第３の実施の形態の調光システムのブロック図を示している。
図７において、分電盤１００からのＡＣ１００Ｖの電源電圧は、電源線１１０，１２０，…（太線にて示す）を介して照明器具ごとに設けられる複数の調光器２００Ａ，２１０Ａ，…に供給されている。複数の調光器２００Ａ，２１０Ａ，…からの例えば位相制御された各々の調光電圧は、複数の照明器具３００Ａ，３１０Ａ，…に供給される。
【００８４】
照明器具３００Ａ，３１０Ａ，…はそれぞれ、照明用のランプ３０１，３１１，…と、自身の識別番号を設定する識別番号設定部３０２，３１２，…と、前記識別番号を送信する第１の通信部３０３，３１３，…とを有している。
【００８５】
調光器２００Ａ，２１０Ａ，…はそれぞれ、照明器具３００Ａ，３１０Ａ，…をそれぞれ調光制御する調光機能を有した調光制御回路２０１，２１１，…と、自身の調光状態を監視する状態監視部２０２，２１２，…と、前記照明器具３００Ａ，３１０Ａ，…からの識別番号を受信する第２の通信部２０４，２１４，…と、前記照明器具３００Ａ，３１０Ａ，…からの識別番号を調光器番号及び前記監視情報と共に送信する第３の通信部２０５，２１５，…とを有している。
【００８６】
また、調光主装置４００は、複数の調光器２００Ａ，２１０Ａ，…をコントロールするものであって、調光制御データを複数の調光器２００Ａ，２１０Ａ，…へ送信したり、複数の調光器２００Ａ，２１０Ａ，…からの自身の監視情報や識別番号及び調光器番号を受信したり、後述の識別番号書き込み装置８０１から識別番号と器具情報データベースを受信したりするための通信部４０１と、調光器２００Ａ，２１０Ａ，…から送信される識別番号及び調光器番号と、調光器２００Ａ，２１０Ａ，…からの監視情報とに基づいて、照明器具３００Ａ，３１０Ａ，…の識別番号毎の監視内容を表すデータベースを作成したり、前記器具情報データベースを格納するためのデータベース部４０２とを有している。データベース部４０２はＣＰＵなどの制御部を含んでいる。
【００８７】
識別番号書き込み装置８０１は、工場８００などに設置されていて、製造された照明器具３９０の識別番号設定部３９２へ識別番号を書き込む機能を有すると共に、照明器具３９０への識別番号書込み時に識別番号に対応した器具形名，適合ランプ，配光データなどを含んだ器具情報データベースを作成するデータベース部８０２と、この器具情報データベースをＬＡＮやインターネットなどの回線９００を介して前記調光主装置４００に送信する通信部８０３とを有して構成されている。
【００８８】
器具情報データベースは、器具形名，適合ランプ，配光データのほかに、外径寸法、製造年月日、シリアル番号（識別番号と同じであっても良い）、価格、オプション情報などを含めても良い。
【００８９】
図７の実施の形態では、照明器具３００Ａ，３１０Ａ，…の第１の通信部３０３から調光器２００Ａ，２１０Ａ，…の第２の通信部２０４，２１４，…へ識別番号を送信するには、図８に示すような電源線搬送送信が用いられる。
【００９０】
例えば調光器２００Ａから照明器具３００Ａに供給される調光用の点灯電力は、図８に示すように点灯電流（ランプ電流）として正弦波電流の導通位相角を制御する位相制御方式で、調光主装置４００からの制御信号により調光制御回路２０１によって点灯電流の導通位相角を制御することで、照明器具３００Ａの照明ランプ３０１の調光制御を行うようになっている。この導通位相角制御された点灯電流は、導通点灯電流の通電立ち上がり期間と、立ち上がり期間後の通電期間と、通電期間後の零クロス期間とからなり、この通電立ち上がり期間と零クロス期間を除いた通電期間に第１の通信部３０３にて識別番号設定部３０２からの前記識別番号信号を重畳搬送させる。これにより、識別番号信号の送信効率が向上し、雑音などの影響が受けにくくなる。なお、調光器２００Ａで生成して照明器具３００Ａに供給する調光用の点灯電源は、前記導通位相角を制御する位相制御方式以外に、正弦波点灯電流の振幅を制御する振幅制御方式を用いることも可能である。詳細は前述の特許文献１に記載されている。
【００９１】
図７の実施の形態によれば、識別番号は工場８００で照明器具ごとに設定されるので、識別番号書き込み装置８０１で識別番号を照明器具ごとに書き込むと同時に、識別番号と器具情報を対応付けたデータベースを生成する。そして、この器具情報データベースをオンラインで調光主装置４００と結ぶことで、調光主装置４００に器具情報データベースの全てを読み込んだり、或いは必要に応じて識別番号を指定したときのみ器具情報を読み込んでも良い。必要に応じて器具情報を読み込むと、調光主装置４００のメモリを小さくできる。従って、照明器具３００Ａ，３１０Ａ，…の識別番号毎の監視内容、各照明器具３００Ａ，３１０Ａ，…ごとの例えば累積点灯時間を一覧できるデータベースを作成することが可能となる一方、照明器具３００Ａ，３１０Ａ，…の識別番号毎の器具情報を一覧できるデータベースを生成することが可能となる。しかも、監視内容のデータベースと器具情報のデータベースを、調光主装置４００に格納して集中管理することができる。
【００９２】
図９は、本発明の第４の実施の形態の調光システムのブロック図を示している。
図９において、図７の実施の形態と異なる点は、図７では調光主装置が１つある（これは１つの劇場又はスタジオなどにおける複数の照明器具を１つの調光主装置で集中管理する場合に相当する）場合であったが、図８では、複数の調光主装置４００，４１０，…とこれら複数の調光主装置４００，４１０，…の複数の監視内容データベース及び器具情報データベースを更に統合する管理装置１０００を設け、複数の劇場やスタジオなど（互いに遠く離れた地域にあってもよい）における複数組の照明器具群を集中管理する場合に有効となるものである。
【００９３】
調光主装置４００は、図７の場合と同様に、複数の照明器具３００Ａ，３１０Ａ，…に接続した複数の調光器２００Ａ，２１０Ａ，…を調光コントロールするものであり、調光主装置４１０は、複数の照明器具３５０Ａ，３６０Ａ，…に接続した複数の調光器２５０Ａ，２６０Ａ，…を調光コントロールするものである。調光主装置４２０，…についても同様である。
【００９４】
管理装置１０００は、複数の調光主装置４００，４１０，…の監視情報をＬＡＮやインターネットなどの回線９００を介して集中管理するものであって、複数の調光主装置４００，４１０，…からの監視内容と前記識別番号書き込み装置８０１からの器具情報データベースを取り込んで、前記照明器具の識別番号毎の統合したデータベースを生成することを可能とする。
【００９５】
このように構成することで、複数の調光主装置４００，４１０，…から送られてくる調光器２００Ａ，２１０Ａ，…からの監視情報と識別番号を読み込みデータベース化し、さらに識別番号書き込み装置８０１の器具情報と対応付けたデータベースを構築でき、複数の劇場やスタジオなどの照明設備を一元管理することが可能となる。勿論、管理装置１０００から複数の調光主装置４００，４１０，…に対して必要に応じて情報提供を要求するようにしても良い。すなわち、複数の箇所にそれぞれ設置された複数の調光主装置からの監視内容データベースと工場などの識別番号書き込み装置からの器具情報データベースを取り込んで、製造メーカーから納品された全ての劇場やスタジオなどの照明器具について識別番号毎の総合化したデータベースを生成することが可能となる。
【００９６】
さらに、図９の実施の形態では、上記の構成に加えて、ランプ寿命や照明器具寿命（点灯時間累積）、照明器具故障（漏電など）を全ての照明器具３００Ａ，３１０Ａ，…３５０Ａ，３６０Ａ，…ごとに判断する判断部（図示せず）を前記管理装置１０００の制御部に設ける一方、インターネットなどの前記回線９００と通信部１１０１にて接続され、ランプや照明器具の在庫状況のデータベースを生成するデータベース部１１０２を有し、前記判断部で寿命や故障と判断した時は、ランプ寿命や照明器具寿命（点灯時間累積）、照明器具故障（漏電など）をその器具形名の部材の在庫状況と合わせて表示部（若しくはタッチパネルによる画面操作が可能な表示操作部）１１０３に表示する在庫管理装置１１００を設ける。
【００９７】
このような構成によれば、照明器具の寿命や故障を判断できると共に、在庫管理装置によって寿命や故障を判断した時に在庫状況と合わせて表示することが可能となり、調光システムとしての利便性をさらに高めることができる。すなわち、在庫管理装置１１００と接続することで、在庫状況が把握できるので、ランプ交換対応や器具交換対応、在庫がない場合は生産手配をタイムリーに行うことができる。在庫がない場合には、自動的に発注する構成とすることも可能である。
【００９８】
尚、図９では、複数の調光主装置とそれらをさらに管理する管理装置があり、さらに在庫管理装置を加える構成について説明したが、図７の実施の形態のように調光主装置４００が１つのみである場合についても図９と同様に在庫管理装置を設けた構成が可能である。すなわち、図７の実施の形態においても、１つの調光主装置４００の制御部に寿命や故障の判断部を設け、且つインターネットなどの前記回線９００と接続され、ランプや照明器具の在庫状況のデータベース部を有し、前記判断部が寿命や故障と判断した時に、寿命や故障と共に在庫状況と合わせて表示部（若しくはタッチパネルによる画面操作が可能な表示操作部）に表示する在庫管理装置を設けた構成とすることが可能である。この場合も、在庫管理装置と接続することで、在庫状況が把握できるので、ランプ交換対応や器具交換対応、在庫がない場合は生産手配をタイムリーに行うことができ、調光システムとしての利便性をさらに高めることができる。
【００９９】
図１０は、本発明の第５の実施の形態の調光システムのブロック図を示している。
図１０において、図９の実施の形態と異なる点は、前記管理装置１０００と前記識別番号書き込み装置８０１と前記在庫管理装置１１００を一部若しくは全て一体とする。例えば、識別番号書き込み装置８０１Ａのデータベース部８０２Ａに、全ての照明器具３００Ａ，３１０Ａ，…３５０Ａ，３６０Ａ，…の識別番号に対応付けて、それら照明器具の監視情報，器具情報及び在庫情報を統合的にデータベース化する構成としたものである。
【０１００】
このような構成によれば、管理装置と識別番号書き込み装置と在庫管理装置を一体化して、工場８００で一元管理する場合に有効であり、調光システムを全体的に簡略化してハードウェアコストの低減、設置スペースの低減を図ることができる。
【０１０１】
図１１は、本発明の第６の実施の形態の調光システムのブロック図を示している。
図１１において、分電盤１００からのＡＣ１００Ｖの電源電圧は、電源線１１０，１２０，…（太線にて示す）を介して照明器具ごとに設けられる複数の調光器２００Ａ，２１０Ａ，…に供給されている。複数の調光器２００Ａ，２１０Ａ，…からの例えば位相制御された各々の調光電圧は、複数の照明器具３００Ｂ，３１０Ｂ，…に供給される。
【０１０２】
照明器具３００Ｂ，３１０Ｂ，…はそれぞれ、照明用のランプ３０１，３１１，…と、自身の識別番号を設定する識別番号設定部３０２，３１２，…と、前記識別番号を送信する第１の通信部３０３，３１３，…とを有している。
【０１０３】
さらに、本実施形態においては、例えば調光器２００Ａに複数台の照明器具（照明負荷）３００Ｂ１，…３００Ｂｎ（ｎは正の整数）が接続された場合（点線枠にて示す）に、複数の照明器具３００Ｂ１，…３００Ｂｎから調光器２００Ａへ識別番号を送信する際に信号衝突を回避するために、各照明器具３００Ｂ１，…３００Ｂｎに負荷番号設定部３０４を設け、各照明器具３００Ｂ１，…３００Ｂｎに前記識別番号以外に負荷番号を設定して、同一の調光器に接続される複数の照明器具を負荷番号で順位付けすることにより、各照明器具３００Ｂ１，…３００Ｂｎは負荷番号順にそれぞれの識別番号を調光器２００Ａへ送信できるようにしてある。
【０１０４】
調光器２００Ａ，２１０Ａ，…はそれぞれ、照明器具３００Ａ，３１０Ａ，…をそれぞれ調光制御する調光機能を有した調光制御回路２０１，２１１，…と、自身の調光状態を監視する状態監視部２０２，２１２，…と、前記照明器具３００Ｂ１，３００Ｂ２，…３００Ｂｎ，…，３１０Ｂ，…からの識別番号を受信する第２の通信部２０４，２１４，…と、前記照明器具３００Ｂ１，３００Ｂ２，…３００Ｂｎ，…３１０Ｂ，…からの識別番号を調光器番号及び前記監視情報と共に送信する第３の通信部２０５，２１５，…とを有している。
【０１０５】
また、調光主装置４００は、複数の調光器２００Ａ，２１０Ａ，…をコントロールするものであって、調光制御データを複数の調光器２００Ａ，２１０Ａ，…へ送信したり、複数の調光器２００Ａ，２１０Ａ，…からの自身の監視情報や識別番号及び調光器番号を受信したり、後述の識別番号書き込み装置８０１から識別番号と器具情報データベースを受信したりするための通信部４０１と、調光器２００Ａ，２１０Ａ，…から送信される識別番号及び調光器番号と、調光器２００Ａ，２１０Ａ，…からの監視情報とに基づいて、照明器具３００Ｂ１，３００Ｂ２，…３００Ｂｎ，…，３１０Ｂ，…の識別番号毎の監視内容を表すデータベースを作成したり、前記器具情報データベースを格納するためのデータベース部４０２とを有している。データベース部４０２はＣＰＵなどの制御部を含んでいる。
【０１０６】
図１１の実施の形態によれば、１つの調光器に複数の照明器具が接続されている時に、照明器具に識別番号以外に負荷番号を設定する負荷番号設定部を設けたので、同一の調光器に接続される複数の照明器具を負荷番号で順位付けし、負荷番号順に識別番号を送信することで、複数の照明器具から識別番号を送信する際に、送信時の信号衝突を回避することが可能となる。
【０１０７】
次に、図１１（但し負荷番号設定部３０４を除く）及び図１２を参照しながら、調光器から照明器具への電力が供給されていない期間、すなわち、電源投入直後の電力が供給されていない期間、及び調光電力が供給されている位相期間以外の期間に、低電圧信号を送り、これを照明器具の識別番号設定部３０２や第１の通信部３０３の電源とすることにより、例えば舞台照明などで電源投入後に明るさを徐々に変化させるフェードと呼ばれる位相制御を行っている時でも、前記低電圧信号が照明器具側に送られてもその低電圧によってフェード照明に何ら影響を与えることなく、低電圧電源伝送及びその電源に基づく識別番号の返送を可能とする、電源線による通信について説明する。
【０１０８】
図１２は、本発明の第７の実施の形態の調光システムにおける電源線通信を実現する回路図を示している。図１２は図１１における照明器具２００Ａと照明器具３００Ｂ（但し負荷番号設定部３０４を除く）の部分の回路図である。
【０１０９】
図１２において、分電盤１００からの電源線１１０は調光器２００Ａに供給されており、電源線１１０を構成する２線Ｒ，Ｎ上には、開閉器１１，該開閉器の開閉検出部１６，調光用のサイリスタ部１２，高周波成分除去用のチョークコイル１３，短絡，過電流及び負荷電流検出用のカレントトランスＣＴ，漏電検出用のトランスＺＣＴ，コネクタ端子１４，１５がある。開閉検出部１６，カレントトランスＣＴ，漏電検出トランスＺＣＴの検出出力はＣＰＵなどで構成される制御部２０に入力され、またサイリスタ部１２にはそのゲート部に対して制御部２０から調光制御信号が供給されるようになっている。
【０１１０】
さらに、電源線１１０を構成する２線Ｒ，Ｎは、ノイズ除去用のフィルタ１７を介してゼロクロス検出部１８に接続し、調光用位相制御のための基点となるゼロクロスを検出し、検出したゼロクロスタイミングを制御部２０に供給するしている。一方、電源線１１０からのＡＣ１００Ｖはフィルタ１７を介して直流電源（ＤＣ電源）部１９に供給されている。直流電源１９は、例えば７Ｖ，５Ｖの直流電圧を生成し、第２の通信部２０４に供給している。
【０１１１】
第２の通信部２０４は、制御部２０の与えるタイミングで、低電圧を生成して電源線１１０の線Ｒに出力すると共に、照明器具３００Ｂから送信されてくる識別番号を示す信号を受信できるようなっている。制御部２０は、電源投入後の所定期間、端子Ｄ０からハイレベルの制御電圧を出力する。
【０１１２】
第２の通信部２０４は、直流７ＶラインをＰＮＰ形トランジスタＱ１のエミッタ・コレクタ及びダイオードＤ１を介して電源線１１０の線Ｒ（即ちコネクタ端子１４）に接続し、トランジスタＱ１のエミッタとベース間に抵抗Ｒ３を接続し、トランジスタＱ１のベースを抵抗Ｒ４とＮＰＮ形トランジスタＱ２のコレクタ・エミッタを介して基準電位点（グランド）に接続し、トランジスタＱ２のベースに制御部２０の端子Ｄ０からの制御電圧を抵抗Ｒ１，Ｒ２で分圧して加えるようになっている。前記トランジスタＱ１のコレクタと基準電位点間に直流の低電圧を生成する電解コンデンサＣ１が接続されている。トランジスタＱ１のオンによって、コンデンサＣ１には＋５Ｖ位の電圧が生成される。
【０１１３】
一方、電源線１１０の線Ｎ（即ちコネクタ端子１５）に返送される識別番号の信号は抵抗Ｒ５を介してコンパレータＣＯＰの＋入力端子に入力しており、コンパレータＣＯＰの−入力端子には前記直流５Ｖラインからの５Ｖを抵抗Ｒ６，Ｒ７で分圧した電圧が基準電圧として入力している。照明器具３００Ｂ側から返送される識別番号の信号は、波高値（振幅）が５Ｖ程度のパルス振幅であるので、このコンパレータＣＯＰにて検出され、その検出信号は制御部２０に入力されるようになっている。
【０１１４】
制御部２０は、前記識別番号の信号と、電源線１１０を監視してう得られたデータとを第３の通信部２０５に送信し、イーサネット（Ｒ）端子３０及びネットワーク信号線４１０などを介して調光主装置４００に送信できるようになっている。なお、第３の通信部２０５は、イーサネット（Ｒ）端子３０を介して調光主装置４００から調光制御部データを受信し、制御部２０へ伝える機能も有している。
【０１１５】
次に、照明器具３００Ｂの構成を説明する。ここでは、電源投入時やソフトスタート時やフェードスタート時などのようにランプ３０１に電力が供給されない期間での識別番号送信を可能とする回路構成となっている。
【０１１６】
調光器２００Ａの前記コネクタ端子１４，１５と接続するコネクタ端子２１，２２を通してＡＣ１００Ｖを調光した電圧が照明器具３００Ｂ内に導かれ、ランプ接続端子２７，２８を介してランプ３０１に供給可能となっている。
【０１１７】
一方、前記コネクタ端子２１，２２に対して、前記ランプ３０１と並列となるように第１の通信部３０３が接続している。第１の通信部３０３は、前記コネクタ端子１４，１５からの低電圧信号が前記コネクタ端子２１，２２を介して入力すると、全波整流ダイオードブリッジ２３を介して回路本体部に供給されるようになっている。このようにれ全波整流ダイオードブリッジ２３を介在させているのは、低電圧信号の＋側電圧（即ちコネクタ端子１４の出力電圧）がコネクタ端子２１，２２のどちらのコネクタ端子に入力しても全波整流ダイオードブリッジ２３の＋電圧出力端から回路本体部の＋信号ラインに電圧が供給されるようにするためである。
【０１１８】
全波整流ダイオードブリッジ２３の＋電圧出力端からの低電圧信号（５Ｖ電圧）はＮＰＮ形トランジスタＱ１１のコレクタ・エミッタを介して制御部２４の電源端子に供給されると同時に、識別番号設定部３０２の赤外線送受信部２５及びＥＥＰＲＯＭ２６に供給されるようになっている。トランジスタＱ１１のコレクタとベース間には抵抗Ｒ１１が接続し、Ｑ１１のベースはトランジスタＱ１２のコレクタ・エミッタを介して全波整流ダイオードブリッジ２３の−電圧出力端に接続し、Ｑ１２のベースには全波整流ダイオードブリッジ２３の＋電圧出力が抵抗Ｒ１２及びツェナーダイオードＺＤ１並びに抵抗Ｒ１３を介して入力するようになっている。
【０１１９】
トランジスタＱ１１はＮＰＮ形トランジスタであるので、そのコレクタに全波整流ダイオードブリッジ２３の＋電圧出力端からの５Ｖ出力が印加されると、ツェナーダイオードＺＤ１のアノードには、全波整流ダイオードブリッジ２３の＋電圧出力端からの５Ｖ出力が印可されるが、ＺＤ１のツェナー電圧を５Ｖより大きくしておくことにより、ＺＤ１がオフし、トランジスタＱ１１のベースには５Ｖ電圧は供給されず、その結果、Ｑ１２もオフする。しかしながら、全波整流ダイオードブリッジ２３の＋電圧出力端からの５Ｖ出力は抵抗Ｒ１１を介してトランジスタＱ１１のベースにも印加されベース電流が流れて導通（オン）し、制御部２４及び識別番号設定部３０２に電源電圧を供給することができる。
【０１２０】
これに対して、ランプ３０１が通常に調光点灯している状態では、全波整流ダイオードブリッジ２３の＋電圧出力端からはほぼＡＣ１００Ｖを全波整流した大きな電圧（ＺＤ１のツェナー電圧より大きな電圧）がトランジスタＱ１１のコレクタに印加されるが、ツェナーダイオードＺＤ１がオンし、そのツェナー電圧がトランジスタＱ１２のベースに印可されてＱ１２がオンする。その結果、トランジスタＱ１１のベースに０Ｖが印加され、Ｑ１１はオフするので、ランプ３０１が正常点灯しているような状態では、制御部２４及び識別番号設定部３０２に５Ｖを超える大きな電源電圧が供給されることはない。
【０１２１】
一方、全波整流ダイオードブリッジ２３の＋電圧出力端と−電圧出力端との間には、トランジスタＱ１３とコレクタ・エミッタと抵抗Ｒ１５の直列回路が接続している。制御部２４は、前記の低電圧信号に基づく５Ｖ電圧が電源として供給されると、動作を開始し、まずＥＥＰＲＯＭ２６に格納されている識別番号を読み出し、該識別番号を表す返信信号を抵抗Ｒ１４を介してトランジスタＱ１３のベースへ供給する。トランジスタＱ１３は、制御部２４からの識別番号を表す返信信号がハイレベルの期間はオンし、ローレベルの期間はオフすることで、識別番号に対応した電流信号を全波整流ダイオードブリッジ２３の＋電圧出力端と−電圧出力端との間に流すことができる。
【０１２２】
従って、返信信号がハイレベルの期間にトランジスタＱ１３がオンすると、波整流ダイオードブリッジ２３の＋電圧出力端からトランジスタＱ１３を介して−電圧出力端に電流が流れ、図示状態ではコネクタ端子２２，コネクタ端子１５を通してコンパレータＣＯＰの＋入力端子の前段の抵抗Ｒ５を通して基準電位点に直流電流が流れる。その結果、抵抗Ｒ５の両端に略５Ｖの電圧を生じ、これがコンパレータＣＯＰの＋入力端子に供給されてコンパレータＣＯＰからハイレベル信号として検出出力されることになる。一方、トランジスタＱ１３のベースに返送信号のローレベルが供給されたときは、Ｑ１３がオフし、抵抗Ｒ５に電流が流れず、コンパレータＣＯＰの＋入力端子にローレベルが供給され、ンパレータＣＯＰからローレベル信号として出力されることになる。
【０１２３】
次に、図１２の回路動作を、図１３及び図１４を参照して説明する。ここでは、舞台照明などのように調光主装置４００で設定される調光モードとして、電源投入後に徐々に明るくなるフェード点灯モードが設定されているものとして説明する。
【０１２４】
図１３において、（ａ）は調光器２００Ａの入力、（ｂ）は調光器２００Ａの出力、（ｃ）は調光器の第２の通信部２０４から出力される低電圧の直流出力（ＤＣ出力と呼ぶ）、をそれぞれ示している。
【０１２５】
図１３（ａ）に示すように、開閉器１１がオンされることで、調光器２００Ａには入力としてＡＣ１００Ｖの正弦波波形電圧が供給される。制御部２０は、電源オン後に、電源オンより半サイクル位遅れて、制御電圧出力端Ｄ０よりハイレベル電圧を出力するので、調光器の第２の通信部２０４からは、図１３（ｃ）に示すように低電圧のＤＣ出力が予め決めた一定期間だけ出力される。このＤＣ出力は、調光器２００Ａのコネクタ端子１４の付近で調光器２００Ａの調光電圧に重畳されて図１３（ｂ）のようになり、コネクタ端子１４より出力されることになる。電源投入後の一定期間は調光器２００ＡからＡＣ電圧は全く出力されず一定期間経過後に電源周期の半サイクルごとに電力振幅を大幅に切った波形が現れ、徐々に調光度合いが軽減されていくフェード時に移行していく。フェード時を過ぎると、ほぼ調光無しの全点灯状態となっていく様子が示されている。
【０１２６】
この電源投入時及びフェード時の期間内で、実際には、図１３（ｃ）に示したＤＣ出力が立ち上がった直後に、照明器具３００Ｂの制御部２４及び識別番号設定部３０２にＤＣ電圧が電源として与えられ、その結果、図１４に示すような識別番号の返信信号が、照明器具３００Ｂと調光器２００Ａを結ぶ電源線を通して、第１の通信部３０３から第２の通信部２０４に対して送信されることになる。
【０１２７】
このように、調光器の第２の通信部は、調光器の電源投入後一定期間若しくは調光器のソフトスタート、フェード時の位相制御オフ期間中に前記低電圧を出力し、照明器具の第１の通信部はこの低電圧を自己の電源及び識別番号の返送信号とすることができる。すなわち、調光器の電源投入後、一定期間は照明器具への位相制御電力を供給せず、低電圧の電源を供給することで、ランプは殆んど点灯させずに識別番号設定部と第１の通信部を生かし、識別番号を調光器に送信できることになる。
【０１２８】
図１４の例では、スタート部を示す期間ＳＴに続いて、識別番号に相当する０，１，０，１…がパルス幅で規定されるコード信号として送信されている。コードＳＴ：１：０は、例えば４：２：１のパルス幅の比で表されている。
【０１２９】
以上の第７の実施の形態では、調光器の第２の通信部は、ランプに電力を供給しない期間に、ランプの明るさに影響を及ぼさないレベルの低電圧を出力し、照明器具の第１の通信部はこの期間に前記低電圧に基づいて電流信号若しくは電圧信号で識別番号を第２の通信部へ送信することができる。
【０１３０】
このように、照明器具への電力が供給されている位相期間以外に低電圧信号を送り、これを識別番号設定部や第１の通信部の電源とすることで、電源回路を簡素化すると共に、この低電圧期間に弱電の信号返送ができるので、第１の通信部の回路も小型，低コストのもので実現可能となる。
【０１３１】
図１５は、照明器具３００Ｂと調光器２００Ａの接続コネクタ部の構成例を示している。図１２の回路図と対応する部分には同一符号を付して説明する。図１５（ａ）はアダプタ方式、図１５（ｂ）はコネクタへの内蔵方式を示している。
【０１３２】
図１５（ａ）のアダプタ方式は、調光器に接続したコネクタ（コネクタ端子１４，１５を含む）３０と、照明器具（ランプ及びランプ支持具のみで構成されている）に接続した既存のコネクタ４０との間に、識別番号設定部３０２と第１の通信部３０３を内蔵したアダプタ５０を介在させる構成としたものである。
【０１３３】
アダプタ５０は、識別番号設定部３０２と第１の通信部３０３を内蔵し、表面には赤外線送受信部２５を備えた本体部と、本体部の両側にそれぞれ設けた調光器コネクタ側接続端子２１，２２及び照明器具コネクタ側接続端子５１，５２と、を有して構成されている。調光器コネクタ側接続端子２１，２２は本体部に形成された凸状部に設けられ、照明器具コネクタ側接続端子５１，５２は本体部に形成された凹状部に設けられている。
【０１３４】
このようにアダプタ５０を設けた構成とすることにより、既存の照明器具をそのまま使用することができる利点がある。
【０１３５】
図１５（ｂ）のコネクタへの内蔵方式は、図１５（ａ）におけるアダプタ５０と照明器具側の既存のコネクタ４０とを一体にし、新たな接続コネクタ部６０をコネクタとして照明器具（ランプ及びランプ支持具のみで構成されている）に形成したものである。
【０１３６】
接続コネクタ部６０は、識別番号設定部３０２と第１の通信部３０３を内蔵し、表面には赤外線送受信部２５を備えた本体部と、本体部の一端側に設けた調光器コネクタ側接続端子２１，２２と、を有して構成されている。調光器コネクタ側接続端子２１，２２は本体部に形成された凸状部に設けられている。
【０１３７】
このように、識別番号設定部及び第１の通信部を接続コネクタ部に内蔵することで、照明器具と電源線との接続が容易となる。
【０１３８】
識別番号設定部は、接続コネクタ部表面に設けた赤外線送受信部を有し、識別番号を赤外線で送信する送信器から識別番号を前記赤外線送受信部を介して不揮発性メモリに書き込み、前記送信器からの要求で読み出しすることも可能である。
【０１３９】
接続コネクタ部表面に設けられた赤外線送受信部を介して不揮発性メモリに赤外線で識別番号を設定できるので、設定作業が容易である。
【０１４０】
次に、本発明の第８の実施の形態の調光システムについて説明する。
第８の実施の形態では、照明器具内の消耗交換品（例えばランプなど）の交換時に、調光主装置のデータベース内におけるその照明器具に関連する積算データ（例えばランプの積算電力や積算点灯時間など）をリセットするための構成及び動作について説明する。本実施の形態は、ｉ）  図１の実施の形態における読取り装置を用いて照明器具の識別番号を調光主装置に登録する構成にも適用できるし、ｉｉ）  図７，図９，図１０，図１１，図１２及び図１５の実施の形態における照明器具の電源線を利用して照明器具の識別番号を調光主装置に登録する構成にも適用することができる。
【０１４１】
ｉ），ｉｉ）のいずれの場合も、照明器具における消耗交換品の交換時にその照明器具に関する前記データベースのデータをリセットするリセット手段をさらに設けた構成とするものである。  ｉ）の場合は、リセット手段を読取り装置５００Ａ（図１参照）に設け、ｉｉ）の場合は、リセット手段を照明器具３００Ａ，３００Ｂ及びその付近（例えば接続コネクタ部６０）に設ける。
【０１４２】
まず、ｉ）の場合、すなわち読取り装置４００（図１参照）にリセット手段を設ける場合について説明する。
【０１４３】
リセット手段は、読取り装置４００の操作部５０２に設けられて、消耗交換品を交換した時に前記調光主装置４００内のデータベースのデータをリセット操作する操作ボタンと、読取り装置４００の通信部（図示せず）に設けられて、識別番号読み込み部（図示せず）で読み込んだ識別番号と共に消耗交換品が交換されたことを示すリセット信号を調光主装置４００へ送信する送信機能とを具備して構成される。その他の構成は、図１と同様である。
【０１４４】
このように構成された調光システムでは、読取り装置５００Ａの操作部５０２に設けられたリセット操作手段と、読取り装置５００Ａの通信部に設けられて、読み込んだ識別番号とリセット操作に基づいて生成されたリセット信号を送信するリセット送信手段とで、リセット手段を構成することで、読み込んだ識別番号と生成したリセット信号が、リセット操作又は識別番号の読み取りを行うことで調光主装置４００側へ送信できる。
【０１４５】
このように、照明器具３００，３１０…における消耗交換品の交換時にそれらの照明器具３００，３１０…に関する前記調光主装置４００内のデータベースの積算データをリセットするリセット手段を読取り装置５００Ａに設けることにより、例えばランプ交換後、その照明器具の場所から調光主装置４００の場所に行ってリセット操作をしなくても、交換を行った照明器具の場所からデータベース内の積算データに対してリセット操作を行うことができる。また、照明器具に電源が供給されていない状態でランプ交換しても、交換後、読取り装置４００を動作させて調光主装置４００にリセット信号を送信すれば、リセットを確実に行うことができる。
【０１４６】
ここで、前記データベースのデータは、例えば累積点灯時間である。ランプ交換時に調光主装置４００のデータベースの累積点灯時間をリセットすることで、ランプ交換後には、ランプの少なくとも点灯時間が積算され、少なくとも点灯時間を積算することが可能となる。
【０１４７】
更に、上記読取り装置５００Ａには、照明器具の明るさ設定や照射方向の設定を含む照明状態の仕込み設定を予め行う機能をさらに具備してもよい。上記の照射方向の設定は、ムービングライトと呼ばれる可動式の照明器具に対してシーン仕込み設定を行う場合に、照明器具の明るさ設定のほかに照射方向の設定をも行えることを意味している。
【０１４８】
このように読取り装置５００Ａに照明状態の仕込み設定機能を持たせると、読取り装置５００Ａは、識別番号読み取り機能やリセット機能のほかに、シーン仕込み設定機能をも兼備したので、調光シーンの仕込みも読取り装置５００Ａを用いて照明器具の近くで行え、操作性を向上させることができる。
【０１４９】
なお、読取り装置５００Ａの画面（ＬＣＤ）上にタッチパネルを設け、タッチパネルの操作でリセット用画面を表示させる。リセットボタンを指で押した後、識別番号設定部を構成する例えば識別番号片に近づき識別番号を読み取った時点で、自動的に識別番号とリセット信号が調光主装置に送信されるようにしてもよい。また、照明器具の識別番号を読み込む毎に、リセット操作してもよいし、交換対象の照明器具を全て読み込んでおいて、リセット操作することで複数の照明器具の累積データを同時にリセットするようにしてもよい。
【０１５０】
尚、第８の実施の形態における上記読取り装置は、可搬型であって、有線で調光主装置と接続して、データベースの累積時間などの累積データをリセットする構成であってもよく、或いは無線ＬＡＮ信号により調光主装置と通信し、データベースの前記のような累積データをリセットする構成であってもよい。
【０１５１】
次に、ｉｉ）の場合、すなわち照明器具３００Ａ，３００Ｂまたはその付近（例えば接続コネクタ部６０）にリセット手段を設ける場合について説明する。
【０１５２】
リセット手段は、照明器具３００Ａ，３１０Ａ…に設けられ、消耗交換品の交換時に操作する状態保持可能なスイッチ（図示せず）と、照明器具３００Ａ，３１０Ａ…に設けられ、前記識別番号設定部で設定された識別番号と前記の状態保持可能なスイッチの状態とを含むデータを前記調光主装置４００へ送信する機能とを具備して構成される。その他の構成は、図１と同様である。
【０１５３】
上記スイッチとしては、シーソースイッチやスライドスイッチなどの少なくとも２つの状態に切り換わるものであれば良い。
【０１５４】
このように構成された調光システムでは、照明器具３００Ａ，３００Ｂ…に設けたスイッチの状態、例えばスイッチの状態切換えによって、消耗交換品（例えばランプ）の交換を行ったことを示すことができるので、そのスイッチ状態で照明器具に電源が供給されたとき、そのスイッチ状態を調光主装置４００へ送信することが可能となる。すなわち、ランプ交換時にスイッチ操作をする構成であるが、このときは照明器具を消灯状態で行うことになるため、照明器具に電源が供給されていないときに行う。よって、状態保持するスイッチを使用することにより、電源が供給されたときにそのスイッチ状態データを調光主装置４００に送信することになる。
【０１５５】
調光主装置４００は、受信したスイッチ状態データを識別番号毎に保持しており、次のスイッチ状態データ受信時にスイッチ状態が変化していると判断したときには、ランプ交換されたものとしてその識別番号の積算データ（例えばランプ点灯積算時間）をリセット（クリア）する。
【０１５６】
更に、リセット手段としては、前記照明器具３００Ｂと前記調光器２００Ａを接続する接続コネクタ部６０（図１５参照）に、消耗交換品の交換時に操作する状態保持可能なスイッチ（図示せず）と、前記識別番号設定部３０２で設定された識別番号と前記スイッチの状態とを含むデータを前記調光主装置４００へ送信する機能とを設けた構成としてもよい。
【０１５７】
このような構成すれば、照明器具近傍の接続コネクタ部６０に交換時に操作するスイッチを設けて、そのスイッチの状態切換えにて消耗交換品（例えばランプ）の交換を行ったことを示すことができ、その状態で照明器具に電源が供給されたとき、そのスイッチ状態を調光主装置４００へ送信することが可能となる。
【０１５８】
なお、この場合も、ランプ交換時にスイッチ操作をする構成であるが、このときは照明器具を消灯状態で行うことになるため、接続コネクタ部６０に電源が供給されていないときに行う。よって、状態保持するスイッチを使用することにより、電源が供給されたときにそのスイッチ状態データを調光主装置４００に送信することになる。
【０１５９】
以上のように、第８の実施の形態によれば、照明器具における消耗交換品の交換時にその照明器具に関する前記調光主装置のデータベースのデータをリセットするリセット手段を照明器具またはその付近にに設けたものであり、例えばランプ交換後、照明器具の場所から調光主装置の場所に行ってリセット操作をしなくても、照明器具またはその付近の場所からリセット操作を行うことができる。
【０１６０】
【発明の効果】
請求項１の発明によれば、複数の調光器の各々に対して各照明器具を付け替えても、照明器具の識別番号毎の監視内容（累積点灯時間など）をデータベースとして生成することができ、照明器具の配置換えが必要な舞台照明などに使用される照明器具を保守管理（メンテナンス）する上で極めて利便性の高いシステムを実現することが可能となる。
【０１６１】
請求項２の発明によれば、無線或いは有線による識別番号データの送信手段を要せず、メモリカードを用いて、調光主装置に識別番号データ入力することができる。低コストなシステムを構成できる。
【０１６２】
請求項３の発明によれば、バーコード，無線タグ又は赤外線送受信付き不揮発性メモリを用いて識別番号設定部の識別番号片とすることができる。
【０１６３】
請求項４の発明によれば、照明器具の識別番号毎の監視内容（累積点灯時間など）を一覧できるデータベースを作成することが可能となる一方、照明器具の識別番号毎の器具情報を一覧できるデータベースを生成することができる。
【０１６４】
請求項５の発明によれば、複数の調光主装置を集中管理する管理装置を設けたので、例えば複数の劇場などにそれぞれ設置された複数の調光主装置からの監視内容を示すデータベースと工場などの識別番号書き込み装置からの器具情報データベースを取り込んで、製造メーカーから納品された全ての劇場の照明器具について識別番号毎の統合した監視情報及び器具情報のデータベースを生成することが可能となる。
【０１６５】
請求項６記載の発明によれば、照明器具の識別番号設定部及び第１の通信部が調光器に接続する電源線への接続コネクタ部に内蔵されているので、照明器具の接続コネクタ部を調光器からの電源線に接続するだけで、識別番号可能な照明器具を、データベースを構築可能な調光システムの本体部へ容易に接続できる。
【０１６６】
請求項７の発明によれば、識別番号設定部は赤外線送受信部と不揮発性メモリからなり、接続コネクタ部表面に設けられた赤外線送受信部を介して不揮発性メモリに赤外線で識別番号を設定でき、設定作業が容易である。
【０１６７】
請求項８の発明によれば、調光器に複数の照明器具が接続されている時に、照明器具に識別番号以外に負荷番号を設定する負荷番号設定部を設けたので、複数の照明器具から同一の調光器へ識別番号を送信する際に、負荷番号順に識別番号を送信して、送信時の信号衝突を回避することが可能となる。
【０１６８】
請求項９の発明によれば、照明器具への電力が供給されている位相期間以外に低電圧信号を送り、これを識別番号設定部や第１の通信部の電源とすることで、電源回路を簡素化すると共に、この低電圧期間に弱電の信号返送ができるので、第１の通信部の回路も小型，低コストのもので実現可能となる。
【０１６９】
請求項１０の発明によれば、調光器の電源投入後一定期間又は調光器のソフトスタート、フェード時の位相制御オフ期間中は照明器具への位相制御電力を供給せず、低電圧の電源を供給することで、ランプは殆んど点灯させずに識別番号設定部と第１の通信部を生かし、識別番号を調光器に送信することが可能となる。
【０１７０】
請求項１１の発明によれば、低電圧を直流電源にすることで、照明器具側の識別番号設定部及び第１の通信部ではそのまま電源として使用できる。また、識別番号設定部及び第１の通信部を接続コネクタ部に内蔵することで、照明器具と電源線との接続が容易となる。
【０１７１】
請求項１２の発明によれば、照明器具の寿命や故障を判断する判断部と、判断部で寿命や故障と判断した時にこれを在庫状況と合わせて表示する在庫管理装置とを設けたので、調光システムとしての利便性をさらに高めることができる。
【０１７２】
請求項１３の発明によれば、照明器具の寿命や故障を判断する判断部と、判断部で寿命や故障と判断した時に在庫状況と合わせて表示する在庫管理装置とを設けたものであり、調光システムとしての利便性（特にメンテナンス性）をさらに高めることができる。
【０１７３】
請求項１４の発明によれば、照明器具における消耗交換品の交換時にその照明器具に関するデータベースのデータをリセットするリセット手段を読取り装置に設けたものであり、例えばランプを交換したときに積算点灯時間などの累積データをリセットすることが可能となる。ランプ交換後、照明器具の場所から調光主装置の場所に行ってリセット操作をしなくても、照明器具の場所からリセット操作を行うことが可能となる。また、照明器具に電源が供給されていない状態でランプ交換しても、交換後、読取り装置を動作させて調光主装置にリセット信号を送信すれば、リセットを確実に行うことができる。
【０１７４】
請求項１５の発明によれば、読取り装置の操作部に設けられたリセット操作手段と、読取り装置の通信部に設けられて、読み込んだ識別番号とリセット操作に基づいて生成されたリセット信号を送信するリセット送信手段とで、リセット手段を構成することで、識別番号とリセット信号がリセット操作又は識別番号読み取り動作のみで調光主装置側へ送信できる。
【０１７５】
請求項１６の発明によれば、照明器具における消耗交換品の交換時にその照明器具に関するデータベースのデータをリセットするリセット手段を照明器具またはその付近に設けたものであり、例えばランプを交換したときに積算点灯時間などの累積データをリセットすることが可能となる。ランプ交換後、照明器具の場所から調光主装置の場所に行ってリセット操作をしなくても、照明器具またはその付近の場所からリセット操作を行うことができる。
【０１７６】
請求項１７の発明によれば、照明器具に設けたスイッチの状態切換えにて消耗交換品（例えばランプ）の交換を行ったことを示すことができ、その状態で照明器具に電源が供給されたとき、そのスイッチ状態を調光主装置へ送信することが可能となり、簡単な操作で照明器具のデータベースのデータをリセットできる。
【０１７７】
請求項１８の発明によれば、照明器具近傍の接続コネクタ部に設けたスイッチの状態切換えにて消耗交換品（例えばランプ）の交換を行ったことを示すことができ、その状態で照明器具に電源が供給されたとき、そのスイッチ状態を調光主装置へ送信することが可能となり、簡単な操作で照明器具のデータベースのデータをリセットできる。
【図面の簡単な説明】
【図１】本発明の第１の実施の形態の調光システムを示すブロック図。
【図２】調光主装置に形成される、照明器具と調光器との接続状態及びその状態での点灯時間データベースを示す図。
【図３】図２及びその後の点灯時間を累積して形成される、照明器具と累積点灯時間データベースの一例を示す図。
【図４】本発明の第２の実施の形態の調光システムを示すブロック図。
【図５】図１又は図４の実施の形態における識別番号の読取り装置の構成例を示す図。
【図６】照明器具の識別番号設定部を識別番号片で構成した場合の赤外線式識別番号片の取付け例、及び赤外線式識別番号片の内部の構成例を示す図。
【図７】本発明の第３の実施の形態の調光システムを示すブロック図。
【図８】識別番号データを送信するための電力線搬送通信を説明する波形図。
【図９】本発明の第４の実施の形態の調光システムを示すブロック図。
【図１０】本発明の第５の実施の形態の調光システムを示すブロック図。
【図１１】本発明の第６の実施の形態の調光システムを示すブロック図。
【図１２】本発明の第７の実施の形態の調光システムにおける電源線通信を実現する回路図。
【図１３】図１２の回路動作を説明する波形図。
【図１４】図１２の回路動作を説明する波形図。
【図１５】照明器具と調光器の接続コネクタ部の構成例を示す斜視図。
【符号の説明】
１００…分電盤（交流電源）
２００，２００Ａ，２１０，２１０Ａ…調光器
２０１…調光制御回路
２０２…状態監視部
２０３…調光器通信部
２０４…第２の通信部
２０５…第３の通信部
３００，３００Ａ，３１０，３１０Ａ…照明器具
３０１，３１１…ランプ
３０２…識別番号設定部
３０３…第１の通信部
４００…調光主装置
４０１…通信部
４０２…データベース部
５００…識別番号の読取り装置
５０１…表示部
５０２…操作部
８０１…識別番号書き込み装置
８０２，８０２Ａ…データベース部
８０３…通信部
８０４…表示操作部
【図１】
2004247273.tif 000003
【図２】
2004247273.tif 000004
【図３】
2004247273.tif 000005
【図４】
2004247273.tif 000006
【図５】
2004247273.tif 000007
【図６】
2004247273.tif 000008
【図７】
2004247273.tif 000009
【図８】
2004247273.tif 000010
【図９】
2004247273.tif 000011
【図１０】
2004247273.tif 000012
【図１１】
2004247273.tif 000013
【図１２】
2004247273.tif 000014
【図１３】
2004247273.tif 000015
【図１４】
2004247273.tif 000016
【図１５】
2004247273.tif 000017